(57)【要約】【課題】  ブラシのしなりによる飛沫の跳ね返りを防止することができるトイレ用清掃具を得る。【解決手段】  柄２の先端に取り付けたブラシ基台８に、部分球面状のブラシ面１１ａを有する第１ブラシ部１１と、部分円柱面状のブラシ面１２ａを有する第２ブラシ部１２とを形成すると共に、上記ブラシ基台８における上記第２ブラシ部１２よりも柄２寄りの位置に、便器１４の擦り洗い時に上記各ブラシ部１１，１２により跳ね返される飛沫を遮断するための飛沫遮蔽板６を設ける。【選択図】        図４
2006166991.tif 000002
【特許請求の範囲】
【請求項１】
柄の先端部に、擦り洗い用のブラシと、該ブラシによる飛沫の飛散を防ぐための飛沫遮蔽板とを設けたことを特徴とするトイレ用清掃具。
【請求項２】
上記飛沫遮蔽板が、上記ブラシよりも柄寄りの位置に設けられ、該ブラシで柄側に跳ね返される飛沫を遮断するように構成されていることを特徴とする請求項１に記載のトイレ用清掃具。
【請求項３】
上記ブラシが、部分球面状のブラシ面を有する第１ブラシ部と、部分円柱面状のブラシ面を有する第２ブラシ部とを有し、これらの第１ブラシ部と第２ブラシ部とは、それぞれの軸線を互いに直交する方向に向けて配設されていることを特徴とする請求項１又は２に記載のトイレ用清掃具。
【請求項４】
上記柄の先端にブラシ基台が取り付けられていて、このブラシ基台の先端部に上記第１ブラシ部が、軸線を基台の軸線と直交する方向に向けて配設されると共に、該第１ブラシ部よりも柄寄りの位置に上記第２ブラシ部が、軸線を基台の軸線と平行する方向に向けて配設され、更に、該第２ブラシ部よりも柄寄りの位置に上記飛沫遮蔽板が配設されていることを特徴とする請求項３に記載のトイレ用清掃具。
【請求項５】
上記第１ブラシ部及び第２ブラシ部のブラシ面のブラシ基台からの高さは、第１ブラシ部の方が第２ブラシ部よりも高いことを特徴とする請求項４に記載のトイレ用清掃具。
【発明の詳細な説明】
【技術分野】
【０００１】
本発明は、便器を清掃するためのトイレ用清掃具に関するものである。
【背景技術】
【０００２】
一般に、便器を清掃するための清掃具は、大別して２種類のタイプに分けることができる。その一つのタイプが、擦り洗い用の部材としてブラシを用いたものであり、他の一つのタイプが、不織布を用いたものである。このうちブラシタイプは、後者の不織布タイプに比べて洗浄力に優れるという利点があるが、ブラシのしなりによる飛沫の飛散という問題があり、飛散した飛沫が壁や床等に付着して周囲を汚染するだけでなく、作業者側にも跳ね返って手や体に付着して非衛生的であるといった問題があった。
【発明の開示】
【発明が解決しようとする課題】
【０００３】
そこで本発明の目的は、ブラシタイプのトイレ用清掃具を、ブラシのしなりによる飛沫の飛散を防止可能なるように構成することにある。
【課題を解決するための手段】
【０００４】
上記目的を達成するため、本発明のトイレ用清掃具は、柄の先端部に、擦り洗い用のブラシと、該ブラシによる飛沫の飛散を防ぐための飛沫遮蔽板とを設けたことを特徴とするものである。
【０００５】
上記飛沫遮蔽板は、上記ブラシよりも柄寄りの位置に設けられ、該ブラシで柄側に跳ね返される飛沫を遮断するようになっていることが望ましい。
【０００６】
また、本発明においては、上記ブラシが、部分球面状のブラシ面を有する第１ブラシ部と、部分円柱面状のブラシ面を有する第２ブラシ部とを有し、これらの第１ブラシ部と第２ブラシ部とは、それぞれの軸線を互いに直交する方向に向けて配設されていることが望ましい。
【０００７】
本発明の具体的な構成態様においては、上記柄の先端にブラシ基台が取り付けられていて、このブラシ基台の先端部に上記第１ブラシ部が、軸線を基台の軸線と直交する方向に向けて配設されると共に、該第１ブラシ部よりも柄寄りの位置に上記第２ブラシ部が、軸線を基台の軸線と平行する方向に向けて配設され、更に、該第２ブラシ部よりも柄寄りの位置に上記飛沫遮蔽板が配設されている。
【０００８】
この場合、上記第１ブラシ部及び第２ブラシ部のブラシ面のブラシ基台からの高さは、第１ブラシ部の方が第２ブラシ部よりも高いことが望ましい。
【発明の効果】
【０００９】
本発明によれば、柄の先端部に、擦り洗い用のブラシと共に、該ブラシによる飛沫の飛散を防ぐための飛沫遮蔽板を設けたことにより、ブラシのしなりによる飛沫の飛散をこの飛沫遮蔽板で確実に防止することができる。
【発明を実施するための最良の形態】
【００１０】
図１〜図３は本発明に係るトイレ用清掃具の好ましい一実施形態を示すもので、この清掃具１は、柄２の先端部にブラシヘッド３を有し、このブラシヘッド３に、擦り洗い用のブラシ５と、該ブラシ５による飛沫の飛散を防ぐための飛沫遮蔽板６とを設けたものである。
【００１１】
上記柄２は、合成樹脂により形成されていて、その基端部に手で握るためのグリップ部２ａを有し、先端部２ｂは弧状に湾曲し、湾曲するこの先端部２ｂに上記ブラシヘッド３が設けられている。
【００１２】
上記ブラシヘッド３は、半月形の断面形状を有する細長い棒状をしたブラシ基台８を有し、このブラシ基台８が、その基端部を上記柄２の先端部２ｂに一体に連設されることにより、該ブラシ基台８の軸線（半月形円弧の曲率中心を通る軸線）Ｌ８を柄２の直線部分の軸線Ｌ２に対して僅かに傾斜させた状態で該柄２の前方に向けて延出しており、このブラシ基台８に上記ブラシ５と飛沫遮蔽板６とが設けられている。
【００１３】
上記ブラシ５は、合成樹脂製繊維からなる第１ブラシ部１１及び第２ブラシ部１２の、２つのブラシ部からなっている。このうち第１ブラシ部１１は、上記ブラシ基台８の先端部寄りの位置に配設されている。即ち、この第１ブラシ部１１は、上記ブラシ基台８から直角に立ち上がった円柱状の植設部９の先端の、半球状をした植設面９ａに上記繊維を放射状に植設することにより、先端のブラシ面１１ａが部分球面状をなすように形成されており、該ブラシ面１１ａの中心を通る第１ブラシ軸線Ｌ１１は、上記ブラシ基台８の軸線Ｌ８と直交する方向に向けられている。なお、上記ブラシ面１１ａは、複数の繊維の先端の集合により形成される面である。
【００１４】
また、上記第２ブラシ部１２は、上記第１ブラシ部１１よりはブラシ基台８の基端部寄りの位置、即ち、上記柄２寄りの位置に配設されている。この第２ブラシ部１２は、上記半月形のブラシ基台８に形成された円弧状の植設面８ａに繊維を扇形に植設することにより、先端に部分円柱面状のブラシ面１２ａを有するように形成され、該ブラシ面１２ａの円弧の曲率中心を通る第２ブラシ軸線Ｌ１２を上記ブラシ基台８の軸線Ｌ８と平行させるかあるいは一致させた状態に配設されている。
従って、上記第１ブラシ部１１と第２ブラシ部１２とは、それらのブラシ軸線Ｌ１１，Ｌ１２を互いに直交する方向に向けて配設されていることになる。また、これら両ブラシ部１１，１２のブラシ面１１ａ，１２ａのブラシ基台８からの高さは、第１ブラシ部１１の方が第２ブラシ部１２よりも高く形成されている。
【００１５】
上記第１ブラシ部１１と第２ブラシ部１２とは、互いに隣接する位置に相互間に間隔を保って設置しても良いが、図示した実施形態では、両ブラシ部１１，１２における繊維同士が部分的に重なり合うように近接して設置されている。
【００１６】
上記ブラシ基台８には、上記第２ブラシ部１２よりも更に柄２寄りの位置に、上記飛沫遮蔽板６が配設されている。この飛沫遮蔽板６は、合成樹脂によって略扇形に形成されたもので、円弧状の外周面６ａを有し、その軸線（円弧の中心軸線）を上記第２ブラシ軸線Ｌ１２とほぼ一致させると共に、上記第２ブラシ部１２との間に若干の間隔を保った状態で、上記ブラシ基台８の基端部に一体に形成されている。
【００１７】
上記飛沫遮蔽板６の大きさは、清掃時にこの飛沫遮蔽板６が便器等に接触して清掃の邪魔にならないようにするために、その外周面６ａが上記第２ブラシ部１２のブラシ面１２ａよりも外側に突出しない大きさであることが望ましく、より望ましくは、その外周面６ａが上記ブラシ面１２ａとほぼ同じ高さか、それよりある程度低く形成されていることである。後者の場合には、この飛沫遮蔽板６の外周面６ａより上記第２ブラシ部１２のブラシ面１２ａの方が僅かに外側に突出することになる。しかし、便器等の形態によってこの飛沫遮蔽板６が清掃の邪魔にならない場合には、この飛沫遮蔽板６の外周面が第２ブラシ部１２のブラシ面１２ａより外側に突出していても良い。
【００１８】
上記構成を有するトイレ用清掃具１は、図４に示すように、便器１４の上端部内外周に形成されたフランジ状の縁部１５ａ，１５ｂにブラシ５を当て、該縁部１５を擦り洗いするものである。ここで、便器１４の内周側の縁部１５ａを掃除する場合は、図示したように、第１ブラシ部１１を該縁部１５ａの下側のコーナー部１６に押し付けると共に、第２ブラシ部１２を縁部１５ａの内周面１７に押し付け、その押し付け角度を適宜変えながら清掃具１を上下及び左右に動かして清掃する。このとき、上記第１ブラシ部１１のブラシ面１１ａが部分球面状をしていて、このブラシ面１１ａが、上記縁部１５ａの下面や上記コーナー部１６あるいは便器１４本体の内周面等に隙間無くピッタリと当接するため、これらの部分に付着した汚れを確実に落とすことができる。同時にまた、上記第２ブラシ部１２のブラシ面１２ａが部分円柱面状をしていて、このブラシ面１１ａが、上記縁部１５ａの内周面１７にその上下方向全幅にわたってぴったりと当接するため、該内周面に付着した汚れまで確実に落とすことができる。便器１４の外周側の縁部１５ｂを掃除する場合も全く同様である。しかし、上記便器１４の縁部１５ａの内周面１７を上記第１ブラシ部１１を使用して擦り洗いできることは言うまでもないことである。
かくして、ブラシ面１１ａ，１２ａの形状や高さ等が異なる第１及び第２の２種類のブラシ１１，１２により、便器１４の上端の縁部１５ａ，１５ｂを簡単且つ確実に擦り洗いすることができる。
【００１９】
一方、上記擦り洗い時に、ブラシ１１，１２がしなって液が跳ね返されるが、この清掃具１には上記飛沫遮蔽板６が設けられているため、跳ね返された液はこの飛沫遮蔽板６で遮断され、便器１４の外に飛び散るのが防止される。特に、この飛沫遮蔽板６を上記第１及び第２ブラシ１１，１２よりも柄２寄りの位置に形成することにより、これらの該ブラシ１１，１２で柄２側即ち作業者側に跳ね返される飛沫をこの飛沫遮蔽板６で確実に防止することができ、汚水が作業者の手や衣服などに付着することがない。
なお、上記清掃具１において、第１ブラシ部１１と第２ブラシ部１２とにおける繊維の硬さは同じであっても良いが、違っていても良い。硬さを違える場合は、第１ブラシ部１１を第２ブラシ部１２より硬くすることも柔らかすることもできる。
【００２０】
便器１４の清掃が終わると、上記第１及び第２ブラシ１１，１２を良く水で洗浄し、この清掃具１を図５に示すように支持スタンドを兼ねるケース２０に収容して保管する。このケース２０は、合成樹脂で成形されたもので、トレイを兼ねるベース部２１と、このベース部２１から立ち上がったカバー部２２と、このカバー部２２の上面を覆う天板部２３と、ハンドル２４とを有している。上記ベース部２１には、清掃具１におけるブラシヘッド３の先端の第１ブラシ部１１が嵌合する窪み２５が形成され、上記カバー部２２の正面側は開放しており、上記天板部２３には清掃具１の柄２が嵌合する凹部２６が形成されており、上記ハンドル２４は、上記カバー部２２の背面上端部に形成されている。
【図面の簡単な説明】
【００２１】
【図１】本発明に係るトイレ用清掃具の斜視図である。
【図２】図１の清掃具の側面図である。
【図３】図１の清掃具の背面図である。
【図４】図１の捕獲具の使用状態の断面図である。
【図５】清掃具１の収納状態を示す斜視図である。
【図６】図５の側面図である。
【符号の説明】
【００２２】
１      清掃具
２      柄
５      ブラシ
６      飛沫防止板
８      ブラシ基台
１１      第１ブラシ部
１２      第２ブラシ部
１１ａ，１２ａ      ブラシ面
Ｌ８，Ｌ１１，Ｌ１２      軸線
【図１】
2006166991.tif 000003
【図２】
2006166991.tif 000004
【図３】
2006166991.tif 000005
【図４】
2006166991.tif 000006
【図５】
2006166991.tif 000007
【図６】
2006166991.tif 000008